(57)【要約】本発明は、各データストリームに制御情報を含む独立した並列ダウンリンク制御信号を伝送する段階と、前記データストリームを伝送する段階とを含むことを特徴とする多重送信器を有するＭＩＭＯシステムにおける通信方法を提供する。好ましい実施形態では、前記制御情報は、前記データストリームを変調するための変調方式と、前記データストリームを拡散するためのＯＶＳＦ（Ｏｒｔｈｏｇｏｎａｌ  Ｖａｒｉａｂｌｅ  Ｓｐｒｅａｄ  Ｆａｃｔｏｒ）コードの数と、前記データストリームのうち少なくとも１つに対して再転送を要求するための再送信方式とのうち少なくとも１つに該当する。
2007512731.tif 000002
【特許請求の範囲】
【請求項１】
各データストリーム別に制御情報を含む独立した並列ダウンリンク制御信号を伝送する段階と、
前記データストリームを伝送する段階と
を含むことを特徴とするＭＩＭＯシステムにおける通信方法。
【請求項２】
前記制御情報が、
前記データストリームを変調するための変調方式と、前記データストリームを拡散するためのＯＶＳＦ（Ｏｒｔｈｏｇｏｎａｌ  Ｖａｒｉａｂｌｅ  Ｓｐｒｅａｄ  Ｆａｃｔｏｒ）コードの数と、前記データストリームのうち少なくとも１つに対して再転送を要求するための再送信方式とのうち少なくとも１つに該当することを特徴とする請求項１に記載のＭＩＭＯシステムにおける通信方法。
【請求項３】
前記制御信号が、
それぞれＨＳ−ＳＣＣＨ（Ｈｉｇｈ−Ｓｐｅｅｄ  Ｓｈａｒｅｄ  Ｃｏｎｔｒｏｌ  Ｃｈａｎｎｅｌｓ）で伝送されることを特徴とする請求項１に記載のＭＩＭＯシステムにおける通信方法。
【請求項４】
前記データストリームと前記独立した並列ダウンリンク制御信号の比率が１：１になるように、前記独立した並列ダウンリンク制御信号の数を前記データストリームの数に一致させることを特徴とする請求項１に記載のＭＩＭＯシステムにおける通信方法。
【請求項５】
前記独立した並列ダウンリンク制御信号を伝送する段階は、
異なる拡散符号を利用して各制御信号を区別する段階を含むことを特徴とする請求項１に記載のＭＩＭＯシステムにおける通信方法。
【請求項６】
前記拡散符号が、
ＯＶＳＦコードを含むことを特徴とする請求項５に記載のＭＩＭＯシステムにおける通信方法。
【請求項７】
前記独立した並列ダウンリンク制御信号を伝送する段階は、
送信ダイバーシティを利用して各制御信号を伝送する段階をさらに含むことを特徴とする請求項６に記載のＭＩＭＯシステムにおける通信方法。
【請求項８】
前記独立した並列ダウンリンク制御信号を伝送する段階は、
コード再利用送信を用いて各制御信号を区別する段階を含むことを特徴とする請求項１に記載のＭＩＭＯシステムにおける通信方法。
【請求項９】
前記コード再利用送信が、
同一のＯＶＳＦコードを利用することを特徴とする請求項８に記載のＭＩＭＯシステムにおける通信方法。
【請求項１０】
前記独立した並列ダウンリンク制御信号を伝送する段階は、
別個のウェイトベクトルを利用して各制御信号を区別する段階を含むことを特徴とする請求項１に記載のＭＩＭＯシステムにおける通信方法。
【請求項１１】
前記独立した並列ダウンリンク制御信号を伝送する段階は、
同一の拡散符号及び前記制御信号に適用された異なる加重値を用いて各制御信号を区別する段階を含むことを特徴とする請求項１に記載のＭＩＭＯシステムにおける通信方法。
【請求項１２】
前記同一の拡散符号が、
ＯＶＳＦコードを含むことを特徴とする請求項１１に記載のＭＩＭＯシステムにおける通信方法。
【請求項１３】
伝送される制御信号の数「Ｃ」が前記ＭＩＭＯシステムの多重送信アンテナの数「Ｍ」より少ない場合、前記制御信号は、前記「Ｍ」個の多重送信アンテナのうち選択された「Ｃ」個の送信アンテナで伝送されることを特徴とする請求項１に記載のＭＩＭＯシステムにおける通信方法。
【請求項１４】
多重アンテナで伝送された各データストリームの制御情報を含む独立した並列ダウンリンク制御信号を区別するための区別部を含むことを特徴とする多重送信アンテナを有するＭＩＭＯ通信システム。
【請求項１５】
前記制御情報が、
前記データストリームを変調するための変調方式と、前記データストリームを拡散させるためのＯＶＳＦコードの数と、前記データストリームのうち少なくとも１つに対する再転送を要求するための再送信方式とのうち少なくとも１つに該当することを特徴とする請求項１４に記載の多重送信アンテナを有するＭＩＭＯ通信システム。
【請求項１６】
前記制御信号が、
それぞれＨＳ−ＳＣＣＨ（Ｈｉｇｈ−Ｓｐｅｅｄ  Ｓｈａｒｅｄ  Ｃｏｎｔｒｏｌ  Ｃｈａｎｎｅｌ）で伝送されることを特徴とする請求項１４に記載の多重送信アンテナを有するＭＩＭＯ通信システム。
【請求項１７】
前記データストリームと前記独立した並列ダウンリンク制御信号の比率が１：１になるように、前記独立した並列ダウンリンク制御信号の数を前記データストリームの数に一致させることを特徴とする請求項１４に記載の多重送信アンテナを有するＭＩＭＯ通信システム。
【請求項１８】
前記区別部が、
異なる拡散符号を利用して各制御信号を区別することを特徴とする請求項１４に記載の多重送信アンテナを有するＭＩＭＯ通信システム。
【請求項１９】
前記拡散符号が、
ＯＶＳＦコードを含むことを特徴とする請求項１８に記載の多重送信アンテナを有するＭＩＭＯ通信システム。
【請求項２０】
各制御信号が、
送信ダイバーシティを利用して伝送されることを特徴とする請求項１９に記載の多重送信アンテナを有するＭＩＭＯ通信システム。
【請求項２１】
前記区別部が、
コード再利用送信を用いて各制御信号を区別することを特徴とする請求項１４に記載の多重送信アンテナを有するＭＩＭＯ通信システム。
【請求項２２】
前記コード再利用送信が、
同一のＯＶＳＦコードを利用することを特徴とする請求項２１に記載の多重送信アンテナを有するＭＩＭＯ通信システム。
【請求項２３】
前記区別部が、
別個のウェイトベクトルを利用して各制御信号を区別することを特徴とする請求項１４に記載の多重送信アンテナを有するＭＩＭＯ通信システム。
【請求項２４】
前記区別部が、
同一の拡散符号及び前記制御信号に適用された異なる加重値を用いて各制御信号を区別することを特徴とする請求項１４に記載の多重送信アンテナを有するＭＩＭＯ通信システム。
【請求項２５】
前記同一の拡散符号が、
ＯＶＳＦコードを含むことを特徴とする請求項２４に記載の多重送信アンテナを有するＭＩＭＯ通信システム。
【請求項２６】
伝送される制御信号の数「Ｃ」が前記ＭＩＭＯシステムの多重送信アンテナの数「Ｍ」より少ない場合、前記制御信号は、前記「Ｍ」個の多重送信アンテナのうち選択された「Ｃ」個の送信アンテナで伝送されることを特徴とする請求項１４に記載の多重送信アンテナを有するＭＩＭＯ通信システム。
【発明の詳細な説明】
【技術分野】
【０００１】
本発明は、移動通信システムに関し、特に、多重アンテナを利用する移動通信システムにおいてダウンロード制御信号を伝送する方法に関する。
【背景技術】
【０００２】
多様なマルチメディアサービスを要求する無線移動通信システムの急速な成長により、データ伝送容量の増加及びより速いデータ伝送速度が要求されている。現在は、高速ダウンリンクパケットアクセス（Ｈｉｇｈ  Ｓｐｅｅｄ  Ｄｏｗｎｌｉｎｋ  Ｐａｃｋｅｔ  Ａｃｃｅｓｓ：  ＨＳ−ＤＰＡ）システムを利用してマルチメディアサービスが提供されているが、前記システムは、高速データ伝送を提供するために考案された。例えば、ＪＵＨＵＡ  ＫＯＲＨＯＮＥＮの「ＩＮＴＲＯＤＵＣＴＩＯＮ  ＴＯ  ３Ｇ  ＭＯＢＩＬＥ  ＣＯＭＭＵＮＩＣＡＴＩＯＮＳ  ＳＹＳＴＥＭＳ」（２００３、第２版）の内容が全体的に本発明に統合されており、それを参照すればよい。前記通信システムにおいて、基地局はＮｏｄｅ  Ｂを示し、移動端末及び加入者装置などは、ユーザ装置（Ｕｓｅｒ  Ｅｑｕｉｐｍｅｎｔ：  ＵＥ）を示している。
【０００３】
しかしながら、現在のＨＳ−ＤＰＡシステムは、単一アンテナを利用するので、ますます増加するデータ伝送速度に対する要求を満たすことができなかった。
【非特許文献１】ＪＵＨＵＡ  ＫＯＲＨＯＮＥＮ，「ＩＮＴＲＯＤＵＣＴＩＯＮ  ＴＯ  ３Ｇ  ＭＯＢＩＬＥ  ＣＯＭＭＵＮＩＣＡＴＩＯＮＳ  ＳＹＳＴＥＭＳ」（２００３、第２版）
【発明の開示】
【発明が解決しようとする課題】
【０００４】
従って、本発明の目的は、少なくとも前記問題及び他に言及された問題を扱うことにある。
【０００５】
本発明の目的は、別個のデータストリーム別に制御信号が伝送されるチャネルを区別する方法を提供することにある。
【課題を解決するための手段】
【０００６】
このような目的を達成するために、本発明は、多重送信器を含むＭＩＭＯ（Ｍｕｌｔｉｐｌｅ  Ｉｎｐｕｔ  Ｍｕｌｔｉｐｌｅ  Ｏｕｔｐｕｔ）システムにおける新しい通信方法を提供する。前記方法は、各データストリームの制御情報を含む独立した並列ダウンリンク制御信号を伝送する段階と前記データストリームを伝送する段階とを含む。
【０００７】
本発明のさらなる長所、目的、及び特性は後述する発明の詳細な説明に一部が記述されており、記載されていない内容は下記説明を参照すると当該技術分野における通常の知識を有する者であれば明確になるか、又は、発明の実行により習得される。本発明の目的と長所は、特に、特許請求の範囲に開示された内容により実現及び達成される。
【発明の効果】
【０００８】
本発明による多重アンテナを利用する移動通信システムにおいて、ダウンロード制御信号を伝送する方法は以下のような利点を有する。
【０００９】
すなわち、新しい別個の制御チャネルを追加するのではなく、共有制御チャネル（ＨＳ−ＳＣＣＨ）の存在を維持することにより、移転通信システムの互換性（ｂａｃｋｗａｒｄ  ｃｏｍｐａｔｉｂｉｌｉｔｙ）を達成することができ、さらに、各アンテナに伝送されるデータストリームが１つのパケットにより形成されているとき、又は、複数のパケットにより形成されているときに関係なく本発明が適用できるという効果がある。
【発明を実施するための最良の形態】
【００１０】
以下、図面を参照して本発明を説明し、同一部分又は対応する部分には同一の参照番号を付与する。
【００１１】
本発明は、一例として、ＨＳ−ＤＰＡシステムにおいて、ＭＩＭＯシステムを利用して非常に高いデータ伝送速度でデータを伝送する新しい方法を提供する。前記ＭＩＭＯシステムは、複数の送信アンテナ及び複数の受信アンテナを含む。さらに、前記ＭＩＭＯシステムでは、変調方式、コードレート、ＯＶＳＦ（Ｏｒｔｈｏｇｏｎａｌ  Ｖａｒｉａｂｌｅ  Ｓｐｒｅａｄ  Ｆａｃｔｏｒ）コードの数及びエラー再送信方式などの制御情報を各送信ストリーム別に異なって設定できる。このために、本発明によるＭＩＭＯシステムの送信端は、前記複数の送信ストリーム用の制御信号を伝送することで、前記送信端で使用された制御情報をＭＩＭＯシステムの受信端に通知する。
【００１２】
より詳しくは、図１は、ＭＩＭＯシステムの送信端の一例を示す概略図であり、前記送信端は、デマルチプレクサ１０、シンボル符号化部１１、チャネル化符号化部１２、シンボル結合部１３、スクランブリング部１４及び送信アンテナ（Ｔｘ１〜Ｔｘｎ）を含む。
【００１３】
ここで、前記デマルチプレクサ１０は、データストリームを複数の送信アンテナ（Ｔｘ１〜Ｔｘｎ）に分岐し、前記シンボル符号化部１１は、チャネル符号化、インターリーブ及びマッピング動作を順次行ってシンボルを生成した後、前記生成されたシンボルを多重化する。
【００１４】
さらに、前記チャネル化符号化部１２は、前記シンボル符号化部１１から出力された複数のシンボルにチャネル化コード（Ｃ１〜Ｃｎ）を割り当てる。前記チャネル化コードが割り当てられたシンボルは、前記シンボル結合部１３で結合され、前記スクランブリング部１４で拡散された後、前記複数の送信アンテナ（Ｔｘ１〜Ｔｘｎ）に伝送される。
【００１５】
例えば、前記デマルチプレクサ１０に入力されたデータストリームが１９２０ビットであると仮定すると、前記デマルチプレクサ１０は、前記入力されたデータストリームをそれぞれ９６０ビットの２つのデータブロックに分割する。前記シンボル結合部１３は、前記２つの９６０ビットを処理して符号化、インターリーブ及びマッピングを行う。より詳しくは、それぞれの９６０ビットを特定アンテナに対する符号化方式で符号化する（第１アンテナＴｘ１には１／２ターボ符号化を利用し、アンテナＴｘｎには１／３ターボ符号化を利用すると仮定する）。従って、この例において、前記第１の９６０ビットは１９２０ビットに符号化され（すなわち、１／２ターボ符号化）、前記Ｔｘｎの９６０ビットは２８８０ビットに符号化される（すなわち、１／３ターボ符号化）。前記符号化された２つのデータブロックは、インターリーバに保存された後、マッピングされる。ＱＡＭ（Ｑｕａｄｒａｔｕｒｅ  Ａｍｐｌｉｔｕｄｅ  Ｍｏｄｕｌａｔｉｏｎ）を前記アンテナＴｘ１に利用し、ＱＰＳＫ（Ｑｕａｄｒａｔｕｒｅ  Ｐｈａｓｅ  Ｓｈｉｆｔ  Ｋｅｙｉｎｇ）を前記アンテナＴｘｎに利用すると仮定すると、前記第１の１９２０個の符号化ビットは、４８０個のシンボルにマッピングされる（すなわち、１６ＱＡＭが４ビットを１つのシンボルにマッピングするので、１９２０個の符号化ビットは４８０個のシンボルにマッピングされる。）。前記Ｔｘｎの２８８０ビットは、１４４０個のシンボルにマッピングされる（すなわち、ＱＰＳＫは２ビットを１つのシンボルにマッピングするので、２８８０個の符号化ビットは１４４０個のシンボルにマッピングされる。）。前記２つの別個の符号化及び変調されたデータブロックは、前記チャネル化符号化部１２により処理される。現在ＨＳ−ＤＰＡにおいて、フレームは３スロットを含み、拡散率は１６に固定される。１つのコードを有する各フレームのシンボルの数は４８０である。従って、前記第１の４８０シンボルは、１つのコードで伝送され、前記第２の１４４０シンボルは、３つのマルチコードで伝送される。
【００１６】
前記チャネル化符号化部１２は、ＯＶＳＦコードのような多様な拡散符号を利用して前記データブロックを拡散することで各アンテナの異なるチャネルを区分する。さらに、ＭＩＭＯシステムの図２に示す受信端は、同一の拡散符号を有し、前記同一の符号を利用して前記受信されたデータを逆拡散する。このように、前記ＭＩＭＯシステムは、それぞれのアンテナに対して異なるＭＣＳ（Ｍｏｄｕｌａｔｉｏｎ  Ｃｏｄｅ  Ｓｅｔ）を選択して前記システムの処理量を増加させることができる。
【００１７】
前記拡散されたシンボルは、前記シンボル結合部１３で結合され、それぞれのアンテナ（Ｔｘ１及びＴｘｎ）から伝送される前にスクランブリング部１４でスクランブルされる。ここで、前記スクランブリングコードは、セル領域を区分するために利用される（例えば、前記受信された情報は、Ｎｏｄｅ  Ｂ  ＢではなくＮｏｄｅ  Ｂ  Ａから受信されている）。
【００１８】
前記受信動作は、送信動作を逆にして最終的に最初に伝送されたデータを得る。より詳しくは、図２を参照すると、前記受信側は、ＭＭＳＥ（Ｍｉｎｉｍｕｍ  Ｍｅａｎ−ｓｑｕａｒｅｄ  Ｅｒｒｏｒ）検出器２１、逆拡散部２２、マルチプレクサ（ＭＵＸ）２３、ストリーム検出部２４、信号再構成部２５及び信号組立部２６を含む。
【００１９】
また、干渉信号除去部２０をさらに含み、前記干渉信号除去部２０は、複数のバッファを利用して受信信号から前記ストリーム検出部２４で再構成されたサブストリーム（干渉信号）を削除する。さらに、前記ＭＭＳＥ検出器２１は、干渉信号が除去された受信信号のうち最大の信号対干渉雑音比（Ｓｉｇｎａｌ  ｔｏ  Ｉｎｔｅｒｆｅｒｅｎｃｅ  Ｎｏｉｓｅ  Ｒａｔｉｏ：  ＳＩＮＲ）を有する信号を検出し、その信号に対してＭＭＳＥ線形変換を行う。前記ＭＭＳＥ検出器２１の出力は、前記逆拡散部２２で逆拡散された後、前記マルチプレクサ２３で多重化される。
【００２０】
さらに、前記ストリーム検出部２４は、前記マルチプレクサ２３から出力された信号から送信シンボルを検出し、前記検出されたシンボルにデマッピング及びデインターリーブ動作を行うことで第１サブストリームを検出する。この後、前記信号再構成部２５は、前記ストリーム検出部２４により検出された前記第１サブストリームを受信信号形態に再構成した後、前記干渉除去部２０に出力する。前記干渉除去部２０は、各シンボル間の影響を最小化するために、前記バッファに予め保存された受信信号から先に検出された信号成分（再構成された信号）を削除した後、前記信号成分が削除された信号を前記ＭＭＳＥ検出器２１に出力する。
【００２１】
その後、前記ＭＭＳＥ検出器２１は、前記再構成された信号が除去された信号のうち最大のＳＩＮＲを有する信号をＭＭＳＥ線形変換し、前記ＭＭＳＥ検出器２１の出力は、前記逆拡散部２２及び前記マルチプレクサ２３を経て前記ストリーム検出部２４に入力され、前記ストリーム検出部２４は第２のサブストリームを検出する。
【００２２】
前記信号再構成部２５は、前記ストリーム検出部２４により検出された第２のサブストリームを再構成して干渉除去部２０に出力し、前記干渉除去部２０は、バッファに予め保存された信号から前記再構成された信号を削除して前記ＭＭＳＥ検出器２１に出力する。
【００２３】
その後、前述したような動作を繰り返して実行することにより、前記ストリーム検出部２４は、サブストリームを順次検出し、前記ストリーム検出部２４により全てのサブストリームが検出されると、前記信号組立部２６は、前記検出された複数のサブストリームを組み立てて１つのデータストリームを形成する。
【００２４】
このように、前記ＭＩＭＯシステムは、順次発生するデータを各送信アンテナで独立して伝送するために、送信データに対してベクトル符号化（Ｖｅｃｔｏｒ  Ｅｎｃｏｄｉｎｇ）を行う。すなわち、前記順次発生したデータは、各アンテナが前記データを並列的に伝送できるように、直並列回路（デマルチプレクサ及びシンボル符号化部）を経る。
【００２５】
さらに、各送信アンテナのチャネルの品質が異なるため、各アンテナに異なるＭＣＳ及びＯＶＳＦコード数が設定される。すなわち、前記送信端は、前記受信端からチャネル品質情報を受信することで異なるアンテナのチャネル状態を決定できる。前記受信されたチャネル品質情報に基づいて、前記基地局（送信端）は、良好なチャネル状態の送信アンテナで高いコードレートのデータを伝送するために、ＱＡＭ又は多くのＯＶＳＦコードを使用し、低いコードレートのデータを伝送するために、ＱＰＳＫ又は少ない数のＯＶＳＦコードを使用する。
【００２６】
さらに、前述したように、前記移動端末は、特定送信アンテナから伝送された信号を検出すると、他の送信アンテナから送信された信号を干渉信号として扱い、各送信アンテナから送信された信号のうち最大のＳＩＮＲを有する信号を先に（すなわち、ＳＩＮＲの大きさの順に）検出する。このために、前記端末は、各送信アンテナから送信された信号に対して受信アンテナのウェイトベクトルを計算すると同時に、先に検出された信号の影響を除去するために、逐次干渉除去（Ｓｕｃｃｅｓｓｉｖｅ  ｉｎｔｅｒｆｅｒｅｎｃｅ  ｃａｎｃｅｌｌａｔｉｏｎ：  ＳＩＣ）方法を用いる。
【００２７】
前記基地局は、ダウンリンクチャネル状態に基づいて各送信アンテナ別に異なるＭＣＳ方式及びＯＶＳＦコード数を設定するため、本発明は、また、前記設定されたそれぞれ異なるＭＣＳ方式、ＯＶＳＦコードの数、再送信方式などに対応するダウンリンク制御情報を提供する。すなわち、各データストリームに関する制御情報を端末に伝送する。
【００２８】
より詳しくは、本発明によると、前記基地局は、各ＨＳＤＰＡユーザに、例えば、４つのＨＳ−ＳＣＣＨ（Ｈｉｇｈ−Ｓｐｅｅｄ  Ｓｈａｒｅｄ  Ｃｏｎｔｒｏｌ  Ｃｈａｎｎｅｌｓ）を割り当て、各ユーザ（例えば、端末、ＵＥ、加入者ユニットなど）は、４つのＨＳ−ＳＣＣＨを同時にモニターする。その後、ユーザにデータを伝送する必要がある場合、前記基地局が前記割り当てられたＨＳ−ＳＣＣＨのうち１つにＵＥ  ＩＤを付加して前記割り当てられたＨＳ−ＳＣＣＨで制御信号を伝送することにより、前記端末は、前記ＨＳ−ＳＣＣＨが自身に割り当てられたＨＳ−ＳＣＣＨであると認識できる。
【００２９】
前述したように、本発明によるＭＩＭＯシステムは、ＭＣＳ方式、使用されたＯＶＳＦコードの数、使用される再送信方式などが異なって設定できるので、ＰＡＲＣ（Ｐｅｒ  Ａｎｔｅｎｎａ  Ｒａｔｅ  Ｃｏｎｔｒｏｌ）方式や前記ＰＡＲＣの一般化した概念であるＰＳＲＣ（Ｐｅｒ  Ｓｔｒｅａｍ  Ｒａｔｅ  Ｃｏｎｔｒｏｌ）方式を用いて達成できる。
【００３０】
図３及び図４は、それぞれＰＳＲＣ方式及びＰＡＲＣ方式の例を示す。図３に示すように、ストリーム４０が加重部（ｗｅｉｇｈｔ  ｕｎｉｔ）４６からの加重値ｗ１、ｗ２と共に適用されてアンテナ４２、４４で伝送される。すなわち、同一のストリームが各アンテナで伝送されるが、異なる加重値と乗算される。次のストリーム（図示せず）も類似した方式で処理される。
【００３１】
図４に示すように、前記ＰＡＲＣ方式では、ストリーム５０、５２を符号化部５４からのコードと乗算してアンテナ５６、５８で伝送する。すなわち、前記コードは、互いに同一のコードでも、異なるコードでもよく、これに関しては後で詳細に説明される。
【００３２】
さらに、本発明によるＭＩＭＯシステムは、各アンテナで伝送される複数のパケットストリームにエラー訂正符号（ＣＲＣ）を付加して伝送したり、１つのＣＲＣを有するパケットストリームを複数のアンテナで伝送する場合を考慮する。例えば、前述したように、２００４年５月１４日に出願された米国出願番号１０／８４５，０８６の内容が全体的に本発明に統合されており、それを参照すればよい。
【００３３】
さらに、前記ＭＩＭＯシステムで伝送される複数の並列データストリームが存在するため、本発明は、一例として、異なるＯＶＳＦ拡散符号のように異なる拡散符号を前記複数の並列データストリームに該当する制御データストリームにそれぞれ適用する。従って、前記端末、ＵＥ、加入者ユニットなどは、異なる制御信号を区別することができる。
【００３４】
より詳しくは、図５は、異なるデータストリームに該当する制御信号を伝送する方法を示すフローチャートである。図示されたように、前記ＭＩＭＯシステムの送信端（例えば、基地局）は、まず各データストリームに共有制御チャネル（ＨＳ−ＳＣＣＨ）を割り当てる。（Ｓ１０及びＳ１１）。
【００３５】
さらに、前記送信端（基地局）は、例えば、異なるＯＶＳＦコードを利用してそれぞれの制御信号（例えば、それぞれのＨＳ−ＳＣＣＨ信号）を区別する（Ｓ１２）。その後、前記送信端は、前記別個の制御信号を送信アンテナで前記端末に伝送する（Ｓ１３）。従って、前記送信端は、前記多重アンテナから伝送されたデータストリームに関する制御情報を含む独立した並列ダウンリンク制御信号を伝送する。
【００３６】
図６は、図５に示す段階を行う装置を示す。図６に示すように、前記ＭＩＭＯシステムの送信端は、必要な制御信号を生成／割り当てするための制御信号生成器６０、前記制御信号を区別するための区別部６２及び前記区別された制御信号を分配するための逆多重化部６４を含む。ここで、前記逆多重化部６４は、前記区別部６２の前に存在する。以下、前記制御信号を区別するための多様な方法を詳細に説明する。
【００３７】
本発明によると、前記基地局は、各送信アンテナに関する情報を伝送し、ＯＶＳＦコードのような異なる拡散符号を利用して各制御信号（例えば、ＨＳ−ＳＣＣＨ信号）を区別する。例えば、アンテナ＃１に該当する制御信号はＯＶＳＦコード＃１を利用して区別され、アンテナ＃２に該当する制御信号は他のＯＶＳＦコード＃２を利用して区別される。
【００３８】
さらに、この方法が単一アンテナを使用するＨＳ−ＤＰＡの移動端末との互換性（Ｂａｃｋｗａｒｄ  ｃｏｍｐａｔｉｂｉｌｉｔｙ）を提供するので、本発明は、異なるＯＶＳＦコードを利用して前記制御信号を互いに区別する利点がある。より詳しくは、本発明によると、各送信アンテナが該当制御信号を有しているため、並列制御信号が伝送される。前記並列制御信号は、各アンテナに関する情報が異なるタイムスロット内で伝送される直列制御信号とは異なる。
【００３９】
しかしながら、ＵＥ１が単一送信アンテナを使用するＨＳ−ＤＰＡシステムに配置され、ＵＥ２がＭＩＭＯシステムを利用する特定システムに配置されたと仮定すると、前記ＵＥ１は、自身のソフトウェアを変えないと自身に割り当てられた単一直列ストリームの部分を区別し得ない。すなわち、前記ＵＥ１は再構成されなければならず、ＭＩＭＯ送信器を利用するＨＳ−ＤＰＡシステムと互換性がない。
【００４０】
それに対して、本発明は、並列に伝送される制御信号を利用するので、前記ＵＥ１がＭＩＭＯ送信器を利用して特定システムと互換可能にすることができる。例えば、前記基地局は、ＵＥ  ＩＤを制御信号に挿入して、前記ＵＥ１に前記制御信号がＵＥ１のためのものであることを通知することができる。
【００４１】
しかしながら、異なるＯＶＳＦコードを利用する上記の例において、本発明は、コード再利用（ｃｏｄｅ  ｒｅｕｓｅ）を用いる方法を適用してストリーム（アンテナ）別に制御信号（又は、制御チャネル）を区別することもできる。
【００４２】
以下、前記区別方式をより詳しく説明する。
【００４３】
異なるＯＶＳＦコード、送信ダイバーシティ又は加重値を用いた異なる制御信号の区別
まず、前記ＰＡＲＣ方式（図４を参照）において、１つの端末（ＵＥ）に伝送される送信ストリームの数が「Ｃ」である場合、前記基地局は、前記「Ｃ」個の送信ストリームを伝送するために「Ｃ」個の制御チャネル（ＨＳ−ＳＣＣＨ）を割り当てる。また、前記異なるストリーム別に割り当てられたＨＳ−ＳＣＣＨ信号を異なるＯＶＳＦコードにより区別する。すなわち、前記基地局は、前記ＨＳ−ＳＣＣＨ信号に異なるＯＶＳＦコードを乗算した後、ＨＳ−ＳＣＣＨ信号を伝送する。
【００４４】
この場合、伝送された各ＨＳ−ＳＣＣＨ信号は、それぞれ送信アンテナと１：１に対応して別個の送信アンテナで伝送される。送信アンテナの数が送信ストリームの数より多い場合（Ｍ＞Ｃ）、前記基地局は、Ｍ個の送信アンテナから選択された「Ｃ」個の送信アンテナでＨＳ−ＳＣＣＨ信号を伝送する。
【００４５】
また、異なるコードにより区別される前記ＨＳ−ＳＣＣＨ信号は、より効率的な伝送のために送信ダイバーシティ（ｔｒａｎｓｍｉｔ  ｄｉｖｅｒｓｉｔｙ）により伝送できる。
【００４６】
さらに、ＰＳＲＣ方式のように送信ストリームにウェイトベクトルが乗算された後（図３を参照）、複数のアンテナに分散される場合、前記基地局は、ＨＳ−ＳＣＣＨ信号に異なるＯＶＳＦコードを乗算した後、前記制御信号を伝送する。
【００４７】
又は、前記送信端が前記ＨＳ−ＳＣＣＨ信号に異なるＯＶＳＦコードの代りにウェイトベクトル及び同一のＯＶＳＦコードを乗算した後、前記制御信号を伝送することもできる。
【００４８】
このように、異なるＯＶＳＦコードを使用してチャネルを区別する場合は、利用可能なダウンリンクＯＶＳＦコードの数が足りないことがある。この場合、１次スクランブリングコードのＯＶＳＦコードだけでなく、２次スクランブリングコードのＯＶＳＦコードも使用できる。
【００４９】
従って、この第１例において、前記ＰＡＲＣ方式の場合、異なるＯＶＳＦコードを利用して異なる制御信号を区別でき、前記ＰＳＲＣ方式の場合、異なるＯＶＳＦコード及び加重値を用いて異なる制御信号を区別できる。
【００５０】
コード再利用送信
まず、ＰＡＲＣ方式において、「Ｃ」個のＨＳ−ＳＣＣＨを伝送するために、コード再利用送信を用いてデータストリームを伝送できる。コード再利用送信を用いる場合、別個の制御信号に同一のＯＶＳＦコードを乗算した後、それぞれ異なるアンテナで伝送する。すなわち、異なるＯＶＳＦコードを使用した上記の例とは異なる。従って、前記端末は、各ストリームが経るフェージングチャネルの差を利用して制御信号を区別する。
【００５１】
また、前記端末は、前記受信されたストリームに他のアンテナから伝送されたストリームによる干渉成分が存在するため、逐次干渉除去方法を用いて送信ストリームを検出できる。
【００５２】
前記ＰＳＲＣ方式のように、ウェイトベクトルが送信ストリームに乗算され（図３を参照）、複数のアンテナに分散される場合、前記基地局（送信端）は、ＨＳ−ＳＣＣＨ信号に同一のＯＶＳＦコードを乗算して前記信号を伝送する。他の例において、前記送信端は、ＯＶＳＦコードを利用する代わりにＨＳ−ＳＣＣＨ信号にウェイトベクトルを乗算して前記信号を伝送する。前記ウェイトベクトルが前記ＨＳ−ＳＣＣＨ信号に乗算されて伝送される場合、前記同一のＯＶＳＦコードを使用しても、前記ウェイトベクトルが互いに直交していると、前記端末は、干渉なしに送信ストリームを受信することができる。
【００５３】
本発明は、本明細書の記載に基づいてプログラムされた従来の一般的な目的のデジタルコンピュータやマイクロプロセッサを利用して実現することもできるため便利であり、コンピュータ技術分野の当業者に明確に理解される。熟練したプログラマーが本発明の記載によって適切なソフトウェアコーディングを用意することができるため、ソフトウェア技術分野の当業者に明確に理解される。本発明は、また特定用途向け集積回路を設けたり従来の構成回路の適切なネットワークを相互接続することにより実現できるため、その技術分野の当業者に明確に理解される。
【００５４】
本発明は、コンピュータプログラミングに使用して本発明の処理過程を実行できるインストラクションを含む記憶媒体であるコンピュータプログラム製品を含む。前記記憶媒体にはフロッピー（登録商標）ディスク、光ディスク、ＣＤ−ＲＯＭ、及び光磁気ディスクを含むディスクや、ＲＯＭ、ＲＡＭ、ＥＰＲＯＭ、ＥＥＰＲＯＭ、磁気又は光カード、あるいは電子インストラクションを保存できるメディアも含むことができるが、これらに限定されるものではない。
【００５５】
前述した実施形態と利点は単なる例示にすぎず、本発明を制限するものではない。本発明は、他の形態の装置にも容易に適用できる。本発明の説明は単なる例示にすぎず、本発明の範囲を制限するものではない。当該技術分野における通常の知識を有する者であれば多様に代替、変更、変形できることを理解できるものと思われる。
【図面の簡単な説明】
【００５６】
【図１】ＭＩＭＯシステムの送信端を示す概略図である。
【図２】ＭＩＭＯシステムの受信端を示す概略図である。
【図３】ＰＳＲＣ方式を用いる伝送アンテナを示す概略図である。
【図４】ＰＡＲＣ方式を用いる伝送アンテナを示す概略図である。
【図５】本発明による多重アンテナシステムの制御信号伝送方法を示すフローチャートである。
【図６】本発明による制御信号を生成及び区分するための装置を示すブロック図である。
【図１】
2007512731.tif 000003
【図２】
2007512731.tif 000004
【図３】
2007512731.tif 000005
【図４】
2007512731.tif 000006
【図５】
2007512731.tif 000007
【図６】
2007512731.tif 000008
【国際調査報告】
2007512731.tif 000009
2007512731.tif 000010